(57)【要約】  無線通信システム（１００）において、アクセスノード（１１０）は、ユーザ機器（ＵＥ）（１０５）のために、複数の可能なシンボルタイプのうちの１つとして、個々にスロット（６８ａ）中の各シンボルを設定する。タイプは、アップリンクシンボルと、ダウンリンクシンボルと、異なるシンボルとを含む。アクセスノード（１１０）は、スロット（６８ａ）中のダウンリンクシンボルの数とスロット（６８ａ）中のアップリンクシンボルの数とを指定し、スロット（６８ａ）が指定されない数の異なるシンボルを含むか否かを示す、スロットフォーマットインジケータ（ＳＦＩ）をＵＥ（１０５）に送信する。ＵＥ（１０５）は、アクセスノード（１１０）から、スロット（６８ａ）のためのＳＦＩを受信し、アップリンクシンボルの数とダウンリンクシンボルの数とに基づいてスロット（６８ａ）中のシンボルの各々のタイプを決定する。【選択図】図４Ａ
2020530746.tif 000002
【特許請求の範囲】
【請求項１】
無線通信システム（１００）においてユーザ機器（ＵＥ）（１０５）によって実装される方法（１８００）であって、前記方法は、
アクセスノード（１１０）から、各シンボルが複数の可能なシンボルタイプのうちの１つとして単独で設定可能であるスロット（６８ａ）のためのスロットフォーマットインジケータ（ＳＦＩ）を、受信すること（１８１０）であって、前記タイプが、アップリンクシンボルと、ダウンリンクシンボルと、異なるシンボルとを含み、前記ＳＦＩが、前記スロット（６８ａ）中のダウンリンクシンボルの数と、前記スロット（６８ａ）中のアップリンクシンボルの数とを指定し、前記スロット（６８ａ）が指定されない数の異なるシンボルを含むか否かを示す、ＳＦＩを受信すること（１８１０）と、
アップリンクシンボルの前記数とダウンリンクシンボルの前記数とに基づいて前記スロット（６８ａ）中の前記シンボルの各々の前記タイプを決定すること（１８２０）と
を含む、方法（１８００）。
【請求項２】
前記ＳＦＩは、指定されない数の異なるシンボルが前記スロット（６８ａ）中に含まれることを示す、請求項１に記載の方法。
【請求項３】
前記異なるシンボルがガードシンボルである、請求項１または２に記載の方法。
【請求項４】
前記ＳＦＩに基づいて、事前定義されたシンボルについて決定された前記タイプとは無関係に、前記ＳＦＩをオーバーライドする制御リソースセットについての前記スロット（６８ａ）中の前記事前定義されたシンボルを監視することをさらに含む、請求項１から３のいずれか一項に記載の方法。
【請求項５】
前記アクセスノード（１１０）から、各シンボルが前記複数の可能なシンボルタイプのうちの１つとして単独で設定可能である後続のスロット（６８ｂ）に前記ＳＦＩまたはさらなるＳＦＩが適用されるかどうかを示すさらなる制御シグナリングを、受信することをさらに含む、請求項１から４のいずれか一項に記載の方法。
【請求項６】
前記さらなる制御シグナリングがブロックサイズと反復係数とを含む、請求項５に記載の方法。
【請求項７】
前記ブロックサイズと前記反復係数とに基づいて、前記ＳＦＩが適用される第１の複数のスロット（６８ａ、６８ｂ）を識別することをさらに含む、請求項６に記載の方法。
【請求項８】
前記アクセスノード（１１０）から、前記ブロックサイズまたは前記反復係数のうちの１つに対する更新を受信し、応答して、更新された前記ブロックサイズまたは前記反復係数と、更新されなかった前記ブロックサイズまたは前記反復係数とに基づいて、前記ＳＦＩが適用される第２の複数のスロット（６８ｃ、６８ｄ）を識別することをさらに含む、請求項６または７に記載の方法。
【請求項９】
前記ＳＦＩおよび前記さらなる制御シグナリングが、事前定義された数のシグナリングビット中で一緒に受信される、請求項５から８のいずれか一項に記載の方法。
【請求項１０】
前記さらなる制御シグナリングは、前記さらなるＳＦＩを含み、前記さらなるＳＦＩが前記後続のスロット（６８ｂ）に適用されることを示す、請求項５から９のいずれか一項に記載の方法。
【請求項１１】
無線通信システム（１００）においてアクセスノード（１１０）によって実装される方法（１９００）であって、前記方法は、
ユーザ機器（ＵＥ）（１０５）のために、複数の可能なシンボルタイプのうちの１つとして、個々にスロット（６８ａ）中の各シンボルを設定すること（１９１０）であって、前記タイプが、アップリンクシンボルと、ダウンリンクシンボルと、異なるシンボルとを含む、各シンボルを設定すること（１９１０）と、
前記スロット（６８ａ）中のダウンリンクシンボルの数と、前記スロット（６８ａ）中のアップリンクシンボルの数とを指定し、前記スロット（６８ａ）が指定されない数の異なるシンボルを含むか否かを示す、スロットフォーマットインジケータ（ＳＦＩ）を前記ＵＥ（１０５）に送信すること（１９２０）と
を含む、方法。
【請求項１２】
前記ＳＦＩは、前記指定されない数の異なるシンボルが前記スロット（６８ａ）中に含まれることを示す、請求項１１に記載の方法。
【請求項１３】
前記異なるシンボルがガードシンボルである、請求項１１または１２に記載の方法。
【請求項１４】
事前定義されたシンボルについて設定された前記タイプとは無関係に、前記スロット（６８ａ）の前記事前定義されたシンボル中の前記ＳＦＩをオーバーライドする制御リソースセットを送信することをさらに含む、請求項１１から１３のいずれか一項に記載の方法。
【請求項１５】
各シンボルが前記複数の可能なシンボルタイプのうちの１つとして単独で設定可能である後続のスロット（６８ｂ）に前記ＳＦＩまたはさらなるＳＦＩが適用されるかどうかを示すさらなる制御シグナリングを、前記ＵＥ（１０５）に送信することをさらに含む、請求項１１から１４のいずれか一項に記載の方法。
【請求項１６】
前記さらなる制御シグナリングがブロックサイズと反復係数とを含む、請求項１５に記載の方法。
【請求項１７】
前記ブロックサイズおよび前記反復係数は、前記ＳＦＩが適用される第１の複数のスロット（６８ａ、６８ｂ）を識別する、請求項１６に記載の方法。
【請求項１８】
前記ブロックサイズまたは前記反復係数のうちの１つに対する更新を前記ＵＥ（１０５）に送信することをさらに含み、更新された前記ブロックサイズまたは前記反復係数、および更新されなかった前記ブロックサイズまたは前記反復係数は、前記ＳＦＩが適用される第２の複数のスロット（６８ｃ、６８ｄ）を識別する、請求項１６または１７に記載の方法。
【請求項１９】
前記ＳＦＩおよび前記さらなる制御シグナリングが、事前定義された数のシグナリングビット中で一緒に送信される、請求項１５から１８のいずれか一項に記載の方法。
【請求項２０】
前記さらなる制御シグナリングは、前記さらなるＳＦＩを含み、前記さらなるＳＦＩが前記後続のスロット（６８ｂ）に適用されることを示す、請求項１５から１９のいずれか一項に記載の方法。
【請求項２１】
無線通信システム（１００）におけるユーザ機器（ＵＥ）（１０５）であって、前記ＵＥ（１０５）は、
アクセスノード（１１０）から、各シンボルが複数の可能なシンボルタイプのうちの１つとして単独で設定可能であるスロット（６８ａ）のためのスロットフォーマットインジケータ（ＳＦＩ）を、受信することであって、前記タイプが、アップリンクシンボルと、ダウンリンクシンボルと、異なるシンボルとを含み、前記ＳＦＩは、前記スロット（６８ａ）中のダウンリンクシンボルの数と前記スロット（６８ａ）中のアップリンクシンボルの数とを指定し、前記スロット（６８ａ）が指定されない数の異なるシンボルを含むか否かを示す、ＳＦＩを受信することと、
アップリンクシンボルの前記数とダウンリンクシンボルの前記数とに基づいて前記スロット（６８ａ）中の前記シンボルの各々の前記タイプを決定することと
を行うように設定された、ユーザ機器（ＵＥ）（１０５）。
【請求項２２】
請求項２から１０のいずれか一項に記載の方法を実行するように設定された、請求項２１に記載のＵＥ。
【請求項２３】
無線通信システム（１００）におけるユーザ機器（ＵＥ）（１０５）であって、前記ＵＥ（１０５）は、
プロセッサ（９１０）とメモリ（９２０）とを備え、前記メモリ（９２０）が前記プロセッサ（９１０）によって実行可能な命令を含んでおり、それにより、前記ＵＥ（１０５）は、
アクセスノード（１１０）から、各シンボルが複数の可能なシンボルタイプのうちの１つとして単独で設定可能である、スロット（６８ａ）のためのスロットフォーマットインジケータ（ＳＦＩ）を受信することであって、前記タイプが、アップリンクシンボルと、ダウンリンクシンボルと、異なるシンボルとを含み、前記ＳＦＩは、前記スロット（６８ａ）中のダウンリンクシンボルの数と前記スロット（６８ａ）中のアップリンクシンボルの数とを指定し、前記スロット（６８ａ）が指定されない数の異なるシンボルを含むか否かを示す、ＳＦＩを受信することと、
アップリンクシンボルの前記数とダウンリンクシンボルの前記数とに基づいて前記スロット（６８ａ）中の前記シンボルの各々の前記タイプを決定することと
を行うように設定された、ユーザ機器（ＵＥ）（１０５）。
【請求項２４】
請求項２から１０のいずれか一項に記載の方法を実行するように設定された、請求項２３に記載のＵＥ。
【請求項２５】
無線通信システム（１００）におけるユーザ機器（ＵＥ）（１０５）であって、前記ＵＥ（１０５）は、
アクセスノード（１１０）から、各シンボルが複数の可能なシンボルタイプのうちの１つとして単独で設定可能である、スロット（６８ａ）のためのスロットフォーマットインジケータ（ＳＦＩ）を受信するように設定された受信モジュール（２０１０）であって、前記タイプが、アップリンクシンボルと、ダウンリンクシンボルと、異なるシンボルとを含み、前記ＳＦＩは、前記スロット（６８ａ）中のダウンリンクシンボルの数と前記スロット（６８ａ）中のアップリンクシンボルの数とを指定し、前記スロット（６８ａ）が指定されない数の異なるシンボルを含むか否かを示す、受信モジュール（２０１０）と、
アップリンクシンボルの前記数とダウンリンクシンボルの前記数とに基づいて前記スロット（６８ａ）中の前記シンボルの各々の前記タイプを決定するように設定された決定モジュール（２０２０）と
を備える、ユーザ機器（ＵＥ）（１０５）。
【請求項２６】
請求項２から１０のいずれか一項に記載の方法を実行するように設定された、請求項２５に記載のＵＥ。
【請求項２７】
無線通信システム（１００）におけるアクセスノード（１１０）であって、前記アクセスノード（１１０）は、
ユーザ機器（ＵＥ）（１０５）のために、複数の可能なシンボルタイプのうちの１つとして、個々にスロット（６８ａ）中の各シンボルを設定することであって、前記タイプが、アップリンクシンボルと、ダウンリンクシンボルと、異なるシンボルとを含む、各シンボルを設定することと、
前記スロット（６８ａ）中のダウンリンクシンボルの数と、前記スロット（６８ａ）中のアップリンクシンボルの数とを指定し、前記スロット（６８ａ）が指定されない数の異なるシンボルを含むか否かを示す、スロットフォーマットインジケータ（ＳＦＩ）を前記ＵＥ（１０５）に送信することと
を行うように設定された、アクセスノード（１１０）。
【請求項２８】
請求項１２から２０のいずれか一項に記載の方法を実行するように設定された、請求項２７に記載のアクセスノード。
【請求項２９】
無線通信システム（１００）におけるアクセスノード（１１０）であって、前記アクセスノード（１１０）は、
プロセッサ（９１０）とメモリ（９２０）とを備え、前記メモリ（９２０）が前記プロセッサ（９１０）によって実行可能な命令を含んでおり、それにより、前記アクセスノード（１１０）は、
ユーザ機器（ＵＥ）（１０５）のために、複数の可能なシンボルタイプのうちの１つとして、個々にスロット（６８ａ）中の各シンボルを設定することであって、前記タイプが、アップリンクシンボルと、ダウンリンクシンボルと、異なるシンボルとを含む、各シンボルを設定することと、
前記スロット（６８ａ）中のダウンリンクシンボルの数と前記スロット（６８ａ）中のアップリンクシンボルの数とを指定し、前記スロット（６８ａ）が指定されない数の異なるシンボルを含むか否かを示す、スロットフォーマットインジケータ（ＳＦＩ）を前記ＵＥ（１０５）に送信することと
を行うように設定された、アクセスノード（１１０）。
【請求項３０】
請求項１２から２０のいずれか一項に記載の方法を実行するように設定された、請求項２９に記載のアクセスノード。
【請求項３１】
無線通信システム（１００）におけるアクセスノード（１１０）であって、前記アクセスノード（１１０）は、
ユーザ機器（ＵＥ）（１０５）のために、複数の可能なシンボルタイプのうちの１つとして、個々にスロット（６８ａ）中の各シンボルを設定するように設定された設定モジュール（２１１０）であって、前記タイプが、アップリンクシンボルと、ダウンリンクシンボルと、異なるシンボルとを含む、設定モジュール（２１１０）と、
前記スロット（６８ａ）中のダウンリンクシンボルの数と前記スロット（６８ａ）中のアップリンクシンボルの数とを指定し、前記スロット（６８ａ）が指定されない数の異なるシンボルを含むか否かを示すスロットフォーマットインジケータ（ＳＦＩ）を前記ＵＥ（１０５）に送信するように設定された送信モジュール（２１２０）と
を備える、アクセスノード（１１０）。
【請求項３２】
請求項１２から２０のいずれか一項に記載の方法を実行するように設定された、請求項３１に記載のアクセスノード。
【請求項３３】
無線通信システム（１００）中のデバイス（１０５、１１０）の少なくとも１つのプロセッサ（９１０）上で実行されたとき、前記少なくとも１つのプロセッサ（９１０）に請求項１から２０のいずれか一項に記載の方法を実行させる命令を備える、コンピュータプログラム。
【請求項３４】
請求項３３に記載のコンピュータプログラムを含んでいるキャリアであって、前記キャリアは、電子信号、光信号、無線信号、またはコンピュータ可読記憶媒体のうちの１つである、キャリア。
【発明の詳細な説明】
【技術分野】
【０００１】
関連出願
本出願は、２０１７年８月１１日に出願された米国仮出願第６２／５４４６９７号の利益を主張するものであり、その開示の全体が参照により本明細書に組み込まれる。
【０００２】
本開示は、一般に、無線通信システムにおける制御シグナリングの分野に関し、より詳細には、スロット情報の効率的なシグナリングに関する。
【背景技術】
【０００３】
無線通信システムでは、１つまたは複数の無線周波数（ＲＦ）リソースを使用する無線通信媒体（たとえば、エアインターフェース）を介して、１つまたは複数のユーザ機器（ＵＥ）と１つまたは複数のアクセスノードとの間でシグナリングが交換される。これらのＲＦリソースは、一般に有限であり、しばしば共有される。したがって、ＵＥとアクセスノードとの間の効率的なシグナリングが有利である。
【発明の概要】
【０００４】
本開示の実施形態は、ＵＥとアクセスノードとを備える無線通信システムの態様を対象とする。アクセスノードは、ＵＥのために、複数の可能なシンボルタイプのうちの１つとして、個々にスロット中の各シンボルを設定する。タイプは、アップリンクシンボルと、ダウンリンクシンボルと、異なるシンボルとを含む。アクセスノードは、スロット中のダウンリンクシンボルの数と、スロット中のアップリンクシンボルの数とを指定し、スロットが指定されない数の異なるシンボルを含むか否かを示す、スロットフォーマットインジケータ（ＳＦＩ）をＵＥに送信する。ＵＥは、アクセスノードから、スロットのためのＳＦＩを受信し、アップリンクシンボルの数とダウンリンクシンボルの数とに基づいてスロット中のシンボルの各々のタイプを決定する。
【０００５】
より詳細には、本明細書の実施形態は、無線通信システムにおけるＵＥによって実装される方法を含む。本方法は、アクセスノードから、各シンボルが複数の可能なシンボルタイプのうちの１つとして単独で設定可能であるスロットのためのＳＦＩを、受信することを含む。タイプは、アップリンクシンボルと、ダウンリンクシンボルと、異なるシンボルとを含む。ＳＦＩは、スロット中のダウンリンクシンボルの数と、スロット中のアップリンクシンボルの数とを指定し、スロットが、指定されない数の異なるシンボルを含むか否かを示す。本方法は、アップリンクシンボルの数とダウンリンクシンボルの数とに基づいてスロット中のシンボルの各々のタイプを決定することをさらに含む。
【０００６】
いくつかの実施形態では、ＳＦＩは、指定されない数の異なるシンボルがスロット中に含まれることを示す。
【０００７】
いくつかの実施形態では、異なるシンボルがガードシンボルである。
【０００８】
いくつかの実施形態では、本方法は、ＳＦＩに基づいて、事前定義されたシンボルについて決定されたタイプとは無関係に、ＳＦＩをオーバーライドする制御リソースセットについてのスロット中の事前定義されたシンボルを監視することをさらに含む。
【０００９】
いくつかの実施形態では、本方法は、アクセスノードから、各シンボルが複数の可能なシンボルタイプのうちの１つとして単独で設定可能である後続のスロットにＳＦＩまたはさらなるＳＦＩが適用されるかどうかを示すさらなる制御シグナリングを、受信することをさらに含む。いくつかのそのような実施形態では、さらなる制御シグナリングはブロックサイズと反復係数とを備える。いくつかのそのような実施形態では、本方法は、ブロックサイズと反復係数とに基づいて、ＳＦＩが適用される第１の複数のスロットを識別することをさらに含む。追加または代替として、いくつかの実施形態では、本方法は、アクセスノードから、ブロックサイズまたは反復係数のうちの１つに対する更新を受信し、応答して、更新されたブロックサイズまたは反復係数と、更新されなかったブロックサイズまたは反復係数とに基づいて、ＳＦＩが適用される第２の複数のスロットを識別することをさらに含む追加または代替として、いくつかの実施形態では、ＳＦＩおよびさらなる制御シグナリングは、事前定義された数のシグナリングビット中で一緒に受信される。追加または代替として、いくつかの実施形態では、さらなる制御シグナリングは、さらなるＳＦＩを備え、さらなるＳＦＩが後続のスロットに適用されることを示す。
【００１０】
他の実施形態は、無線通信システムにおけるアクセスノードによって実装される方法を含む。本方法は、ＵＥのために、複数の可能なシンボルタイプのうちの１つとして、個々にスロット中の各シンボルを設定することを含む。タイプは、アップリンクシンボルと、ダウンリンクシンボルと、異なるシンボルとを含む。本方法は、スロット中のダウンリンクシンボルの数と、スロット中のアップリンクシンボルの数とを指定し、スロットが、指定されない数の異なるシンボルを含むか否かを示す、ＳＦＩをＵＥに送信することをさらに含む。
【００１１】
いくつかの実施形態では、ＳＦＩは、指定されない数の異なるシンボルがスロット中に含まれることを示す。
【００１２】
いくつかの実施形態では、異なるシンボルがガードシンボルである。
【００１３】
いくつかの実施形態では、本方法は、事前定義されたシンボルについて設定されたタイプとは無関係に、スロットの事前定義されたシンボル中のＳＦＩをオーバーライドする制御リソースセットを送信することをさらに含む。
【００１４】
いくつかの実施形態では、本方法は、各シンボルが複数の可能なシンボルタイプのうちの１つとして単独で設定可能である後続のスロットにＳＦＩまたはさらなるＳＦＩが適用されるかどうかを示すさらなる制御シグナリングを、ＵＥに送信することをさらに含む。いくつかのそのような実施形態では、さらなる制御シグナリングはブロックサイズと反復係数とを備える。いくつかのそのような実施形態では、ブロックサイズおよび反復係数は、ＳＦＩが適用される第１の複数のスロットを識別する。追加または代替として、いくつかの実施形態では、本方法は、ブロックサイズまたは反復係数のうちの１つに対する更新をＵＥに送信することをさらに含む。更新されたブロックサイズまたは反復係数、および更新されなかったブロックサイズまたは反復係数は、ＳＦＩが適用される第２の複数のスロットを識別する。追加または代替として、いくつかの実施形態では、ＳＦＩおよびさらなる制御シグナリングは、事前定義された数のシグナリングビット中で一緒に送信される。追加または代替として、いくつかの実施形態では、さらなる制御シグナリングは、さらなるＳＦＩを備え、さらなるＳＦＩが後続のスロットに適用されることを示す。
【００１５】
他の実施形態は、無線通信システムにおけるＵＥを含む。いくつかのそのような実施形態では、ＵＥは、本明細書で説明するＵＥの方法のいずれかを実行するように設定される。
【００１６】
いくつかの実施形態では、ＵＥはプロセッサとメモリとを備え、メモリはプロセッサによって実行可能な命令を含んでおり、それにより、ＵＥが設定される。追加または代替として、いくつかの実施形態では、ＵＥは１つまたは複数の物理ユニットまたは機能モジュールを備え、それにより、ＵＥが設定される。
【００１７】
他の実施形態は、無線通信システムにおけるアクセスノードを含む。いくつかのそのような実施形態では、アクセスノードは、本明細書で説明するアクセスノードの方法のいずれかを実行するように設定される。
【００１８】
いくつかの実施形態では、アクセスノードはプロセッサとメモリとを備え、メモリはプロセッサによって実行可能な命令を含んでおり、それにより、アクセスノードが設定される。追加または代替として、いくつかの実施形態では、アクセスノードは１つまたは複数の物理ユニットまたは機能モジュールを備え、それにより、アクセスノードが設定される。
【００１９】
他の実施形態は、本明細書で説明する方法および／または装置のいずれかに対応する、コンピュータプログラムと、コンピュータ可読記憶媒体と、キャリアとを含む。
【図面の簡単な説明】
【００２０】
【図１】本開示の１つまたは複数の実施形態による、例示的な通信システムを示す図である。
【図２】本開示の１つまたは複数の実施形態による、周波数領域にわたって、１５ｋＨｚの間隔をもつ隣接するサブキャリアに分割された物理リソースの例を示す図である。
【図３】本開示の１つまたは複数の実施形態による、例示的な無線フレームを示す図である。
【図４Ａ】本開示の１つまたは複数の実施形態による、異なるスロットフォーマットを記述する例示的なスロットフォーマットインジケータ（ＳＦＩ）を示す表である。
【図４Ｂ】本開示の１つまたは複数の実施形態による、ＳＦＩをシグナリングするために使用される例示的な制御シグナリングを示す図である。
【図５Ａ−５Ｂ】本開示の１つまたは複数の実施形態による、例示的な反復ＳＦＩパターンを示す図である。
【図６】本開示の実施形態による、例示的な方法を示す流れ図である。
【図７】本開示の実施形態による、例示的な方法を示す流れ図である。
【図８】本開示の１つまたは複数の実施形態による、例示的なハードウェアを示すブロック図である。
【図９】本開示の１つまたは複数の実施形態による、例示的な構成要素を示すブロック図である。
【図１０】本開示の１つまたは複数の実施形態による、例示的な構成要素を示すブロック図である。
【図１１】本開示の実施形態による、例示的な方法を示す流れ図である。
【図１２】本開示の実施形態による、例示的な方法を示す流れ図である。
【図１３】本開示の実施形態による、例示的な方法を示す流れ図である。
【図１４】本開示の実施形態による、例示的な方法を示す流れ図である。
【図１５】本開示の１つまたは複数の実施形態による、例示的な構成要素を示すブロック図である。
【図１６】本開示の１つまたは複数の実施形態による、例示的な構成要素を示すブロック図である。
【図１７】本開示の１つまたは複数の実施形態による、例示的な構成要素を示すブロック図である。
【図１８】本開示の実施形態による、例示的な方法を示す流れ図である。
【図１９】本開示の実施形態による、例示的な方法を示す流れ図である。
【図２０】本開示の１つまたは複数の実施形態による、例示的な構成要素を示すブロック図である。
【図２１】本開示の１つまたは複数の実施形態による、例示的な構成要素を示すブロック図である。
【発明を実施するための形態】
【００２１】
図１は、本開示の１つまたは複数の実施形態による、例示的な通信システム１００を示す。本明細書では、通信システム１００のいくつかの態様について、Ｌｏｎｇ−Ｔｅｒｍ  Ｅｖｏｌｕｔｉｏｎ（ＬＴＥ）通信ネットワークの文脈で説明することがあるが、本開示全体にわたる説明は、限定はしないが、５Ｇネクスト無線（ＮＲ）および／またはＷｉ−Ｆｉを含む、他の無線通信システムおよび／またはそれらの組合せに同様に適用され得る。
【００２２】
通信システム１００は複数の無線通信ノードを備える。特に、無線通信ノードのうちの１つは、ＵＥ１０５にセル１１５をサーブするアクセスノード１１０である。ＵＥ１０５および／またはアクセスノード１１０は、いくつかの実施形態では、それぞれ、無線ノード（すなわち、無線通信が可能なネットワークノード）と呼ばれることがある。さらに、アクセスノード１１０は、いくつかの実施形態では、たとえば、基地局（ｅＮＢ、ｇＮＢなど）と呼ばれることがある。図１では、１つのアクセスノード１１０および１つのＵＥ１０５のみが示されているが、通信システム１００の他の例は任意の数のアクセスノード１１０を含み得、アクセスノード１１０の各々は任意の数のＵＥ１０５に１つまたは複数のセル１１５をサーブし得る。さらに、他の実施形態によれば、ＵＥ１０５は、代わりに、基地局（たとえば、フェムトセル、リレー基地局）であり得る。
【００２３】
アクセスノード１１０と１つまたは複数のＵＥ１０５との間の無線通信は、時間領域、周波数領域、または両方にわたって、無線リソースを使用して実行される。ＬＴＥおよびＮＲは、特に、ダウンリンクにおいてＯＦＤＭを使用する。基本的なＮＲまたはＬＴＥのダウンリンク物理リソースは、図２に示されているように、時間周波数グリッドとして見られ得る。
【００２４】
図２は、たとえば、ＬＴＥおよび／またはＮＲのための例示的なＯＦＤＭ時間周波数グリッド５０の一部分を示す。概して、以下で説明するように、時間周波数グリッド５０はサブフレームに分割される。各サブフレームは複数のＯＦＤＭシンボル５５を含む。各シンボル５５はサイクリックプレフィックスを含み得る。サイクリックプレフィックスは、条件に基づいてより長くまたはより短くなり得る。たとえば、マルチパス分散が激しいと予想されない状況では、ノーマルサイクリックプレフィックス（ＣＰ）長さが使用され得る。代替的に、マルチパス分散が激しいと予想される状況では、拡張サイクリックプレフィックスが使用され得る。一般に、サブフレームは、より長いサイクリックプレフィックスが使用されるときは、より少ないシンボル５５を備え得、より短いサイクリックプレフィックスが使用されるときは、より多いシンボル５５を備え得る。
【００２５】
本例によれば、図２に示された物理リソースは、周波数領域にわたって、１５ｋＨｚの間隔をもつ隣接するサブキャリアに分割される。他の実施形態は他の間隔を含み得る（すなわち、時間領域において、周波数領域において、または両方において異なる）。特に、サブキャリアの数は、いくつかの実施形態では、割り当てられたシステム帯域幅によって変動し得る。時間周波数グリッド５０の最も小さい要素は一般にリソースエレメント５２と呼ばれ、リソースエレメント５２は１つのＯＦＤＭシンボル間隔中に１つのＯＦＤＭサブキャリアを備える。
【００２６】
データは、ダウンリンクトランスポートチャネル上でアクセスノード１１０からＵＥ１０５に送信される。ダウンリンクトランスポートチャネルは、複数のＵＥ１０５によって共有される時間および周波数多重化チャネルである。ダウンリンク送信は、一般に、所与の持続時間（たとえば、１０ミリ秒）の無線フレーム６０に編成される。各無線フレーム６０は複数のサブフレーム６２を備え得る。一例によれば、無線フレーム６０は、図３に示されているように、１０個の等しいサイズのサブフレーム６２ａ〜６２ｊを備え得る。各サブフレーム６２は複数のスロット６８を備え得る。一例によれば、サブフレーム６２ａは、図３に示されているように、２つの等しいサイズのスロット６８ａ〜６８ｂを備え得る。特に、図３は、無線フレーム６０が２０個の等しいサイズのスロット６８ａ〜６８ｔを備える例を示す。
【００２７】
実施形態によれば、スロット６８は複数のシンボル５５を備え得、シンボル５５の正確な数は実施形態によって変動し得る。たとえば、特定の実施形態によれば、スロット６８は７個または１４個のシンボル５５を備え得る。さらに、いくつかの実施形態では、スロット持続時間は、スロット６８中のシンボル５５の数が、たとえば、アクセスノード１１０によってＵＥ１０５中で設定され得るように設定可能であり得る。さらにまた、スロット６８中のシンボルの数よりも少ない複数のシンボル５５は、いくつかの実施形態では、ミニスロット（図示せず）と呼ばれることがある。
【００２８】
物理ダウンリンク制御チャネル（ＰＤＣＣＨ）は、たとえば、ダウンリンク制御情報（ＤＣＩ）のためのＮＲにおいて使用され得る。このＤＣＩは、たとえば、ダウンリンクスケジューリング割り当てとアップリンクスケジューリンググラントとを含み得る。ＰＤＣＣＨは、一般に、スロット６８の冒頭で送信され、同じまたは後のスロット中のデータに関する。ミニスロットについて、ＰＤＣＣＨはまた、通常のスロット内で送信され得る。ＰＤＣＣＨの異なるフォーマット（たとえば、サイズ）は、異なるＤＣＩペイロードサイズおよび異なるアグリゲーションレベル（すなわち、所与のペイロードサイズのための所与のコードレート）を処理することが可能である。
【００２９】
実施形態によれば、ＵＥ１０５は、異なるアグリゲーションレベルおよびＤＣＩペイロードサイズのいくつかのＰＤＣＣＨ候補をブラインドで監視する（および／または検索する）ように（暗黙的におよび／または明示的に）設定される。有効なＤＣＩメッセージ（たとえば、候補の復号が成功し、ＤＣＩは、ＵＥが監視するように告げられたＩＤを含んでいる）を検出すると、ＵＥ１０５はＤＣＩに従う（たとえば、対応するダウンリンクデータを受信するか、またはアップリンクにおいて送信する）。ブラインド復号プロセスはコストがかかる（たとえば、ＵＥ１０５における追加の複雑さを必要とする）ことがあるが、このブラインド復号は、いくつかの実施形態では、異なるＤＣＩペイロードサイズのフレキシブルなスケジューリングおよび処理を与え得る。
【００３０】
本開示の特定の実施形態は、（たとえば、ネットワーク１００がＮＲをサポートする、いくつかの実施形態によれば）、たとえば、複数のＵＥ１０５によって受信される「ブロードキャストされた制御チャネル」を含み得る。このチャネルは、たとえば、物理スロットフォーマットインジケータチャネル（ＰＳＦＩＣＨ）、「ＰＣＦＩＣＨ様チャネル」、「ＵＥグループ共通制御チャネル」、「共通ＰＤＣＣＨ」、および／または「グループ共通ＰＤＣＣＨ」と呼ばれ得る。本開示の目的で、これらの名称は互換的に使用され得る。さらに、これらの特定の用語は本開示内で使用され得るが、本明細書で説明される様々な実施形態は他のチャネルに同様に適用され得る。実際、本明細書の実施形態は、たとえば、アクセスノード１１０とＵＥ１０５との間の制御シグナリングを与える任意のチャネルに適用可能であり得る。
【００３１】
そのようなチャネルに入れられ得る情報の１つの例は、スロットフォーマットについての情報である。特に、チャネルは、あるスロット６８がアップリンクスロットであるのか、またはダウンリンクスロットであるのかについての情報を搬送し得る。チャネルは、追加または代替として、スロット６８のどの部分がアップリンクおよび／またはダウンリンクのためであるかについての情報を搬送し得る。そのような情報は、多くの実施形態では、ダイナミックＴＤＤシステムにおいて有用であり得る。さらに、この情報は、１つまたは複数のスロット６８のためのシンボルレベルで与えられ得る。
【００３２】
いくつかの実施形態では、共通ＰＤＣＣＨは、制御領域の長さ、すなわち、制御シグナリングのために使用されるＯＦＤＭシンボルの数５５を示し得る。しかしながら、共通ＰＤＣＣＨの実施形態は、制御領域サイズを示すための１つの特定の構造に必ずしも限定されるとは限らない。特に、共通ＰＤＣＣＨは、たとえば、追加の情報を搬送することによって、将来のエンハンスメントをサポートするために拡張されるように設計され得る。実際、本開示の実施形態は、アップリンクおよび／またはダウンリンク通信をサポートする様々な異なるシグナリング構造を含み得る。
【００３３】
本開示の特定の実施形態は、たとえば、システム動作を改善する機能を有効にするために、ＵＥ１０５のグループの間で共通である制御信号を含み得る。たとえば、ＵＥ１０５が、それらのＵＥ１０５が通信のためにスケジュールされていない時間期間について通知された場合、ＵＥ１０５のグループにおける電力消費は低減され得る。ＵＥ１０５は、応答して、そのような時間期間中にチャネルを監視しないことによって電力を節約し得る。したがって、本開示の実施形態は、複数のスロット６８のうちの１つのためのシンボルレベルでＵＥ１０５に「スロット関係情報」を与え得る。
【００３４】
特に、このスロット関係情報が（たとえば、アクセスノード１１０からの適切なシグナリングによって）与えられたとき、ＵＥ１０５は、シンボル５５がダウンリンク送信を含んでいるのか、アップリンク送信を含んでいるのか、またはそれらのいずれをも含んでいないのかを決定することが可能であり得（たとえば、シンボル５５は、「未知」と見なされ得る）、および／またはシンボル５５がどのように設定されるかを決定するための根拠としてさらなる情報を使用し得る。とはいえ、そのような情報は様々な展開シナリオにおいて（すなわち、１つまたは複数の実施形態によれば）有益であり得るが、そのような信号は、この信号の検出によって有効にされる対応する機能が適切な動作にとって必須でないように随意（たとえば、他の制御シグナリングに対するアドオン信号）であり得る。それにもかかわらず、追加の複雑さは、しばしば、そのような追加のシグナリングによって与えられる利益に対するコストとして考量されるので、そのようなシグナリングのための低複雑度設計は、いくつかの実施形態では有利であり得る。
【００３５】
たとえば、ＵＥ１０５に十分な電力節約の利益を与えるために、複数のスロット６８にわたる「スロット関係情報」が必要とされ得る。そのようなことは、スロット６８がより少ないシンボル５５（たとえば、スロット６８ごとに１４個のシンボル５５と比較して、７個のシンボル５５）を含む実施形態では、特に当てはまり得る。とはいえ、たとえば、この情報をアクセスノード１１０からＵＥ１０５に伝達するためには、追加のシグナリングが必要とされ得る。実際、場合によっては、この「スロット関係情報」を複数のスロット６８のために与えることの結果は、追加のシグナリングの量をかなり増加させ得る。したがって、本開示の実施形態は、いくつかの意図された機能を有効にしながら、送信についての情報（たとえば、ＮＲをサポートする「スロット関係情報」）を与えるために、効率的なシグナリングを使用する。特に、本開示のいくつかの実施形態は、いくつかの他のコンテキスト（たとえば、いくつかのレガシーネットワーク）において必要とされるであろう他のシグナリングと比較して低減された、この「スロット関係情報」を与え得る。特定の実施形態は、ＵＥのグループに共通の制御シグナリング（たとえば、ＮＲにおけるグループ共通ＰＤＣＣＨ）における時間期間（たとえば、１つまたは複数のスロット）についてのスロット関係情報を与えることを可能にする。
【００３６】
実施形態によれば、グループ共通ＰＤＣＣＨは、１つまたは複数のスロット６８についてのスロット関係情報を与える。情報はシンボルレベルで与えられる。このスロット関係情報は、たとえば、スロット関係情報またはＳＦＩと互換的に呼ばれ得る。実施形態によれば、このＳＦＩは、所与のスロット６８について、スロット６８中のシンボルのタイプまたは複数のタイプをＵＥ１０５に示す。特に、ＳＦＩは、スロット内の特定のシンボルがダウンリンクシンボルとして設定されているのか、アップリンクシンボルとして設定されているのか、またはいずれとしても設定されていないのか（たとえば、未知のシンボル、指定されないシンボル、ガードシンボル）を示し得る。
【００３７】
スロット６８中の各シンボル５５が、アップリンクシンボル、ダウンリンクシンボル、または未知のシンボル、スロット情報のいずれかであり得る一例によれば、多くの可能な組合せがあるであろう。これらの組合せのすべてに対処することは、かなりの量のシグナリングオーバーヘッドを必要とし得る。したがって、本開示の実施形態は、ＳＦＩのために使用されるシグナリングをシンボルタイプのいくつかの組合せに限定する。特に、ＳＦＩは、スロット情報６８に関する制御シグナリングのサイズおよび／または量を小さく保つために、いくつかのルールに従う、スロットのいくつかの設定を特にサポートし得る。
【００３８】
たとえば、いくつかの実施形態では、ＳＦＩシグナリングは、スロット６８内のシンボルタイプの推定される順序付けを利用し得る。たとえば、ダウンリンク送信とアップリンク送信の両方を含むスロット６８では、スロット６８中のダウンリンクシンボルはアップリンクシンボルに先行し得る（またはその逆）。その上、ＵＥ１０５がダウンリンクとアップリンクの間で切り替わるガード期間のために使用されるシンボルは、ダウンリンクシンボルとアップリンクシンボルとの間にあり得る。さらに、ＵＥ１０５のこのガード期間機能は既知であり、このＳＦＩの効率的なシグナリングをサポートするために使用され得る。さらにまた、１つの送信方向についての情報（たとえば、スロット６８中のアップリンクシンボルまたはダウンリンクシンボルの数）が与えられた場合、実施形態は、他の方向における送信が存在するように設定されているか否かをシグナリングするために、他の送信方向のためのインジケータを使用し得る。
【００３９】
ＵＥ１０５が、本明細書でＮによって示されるスロット持続時間を用いて設定され、スロット持続時間を予想し、および／またはスロット持続時間を決定することが可能である例について考える。たとえば、ＵＥ１０５は、ＮＲベースの通信をサポートする７個または１４個のシンボル５５のいずれかを使用するように（たとえば、無線リソース制御シグナリングを介して）設定され得る。さらに、（シンボルの数による）ガード期間は、ここではＧによって示され、ＵＥ１０５ごとに半静的に設定される。さらに、この例によれば、ダウンリンクシンボルを用いて設定されたスロット６８は、ダウンリンク送信において使用するためのそれらのダウンリンクシンボルで始まりその後に（存在する場合）アップリンク送信において使用するためのアップリンクシンボルが続くことが推定され得る。これらの例示的なルールによれば、設定された２つのＲＲＣパラメータＮおよびＧを用いて、グループ共通ＰＤＣＣＨにおける第１のフィールドおよび第２のフィールドは、所与のスロットｘのためのＳＦＩ中に含まれ得る。
【００４０】
第１のフィールドは、Ｄｘによって示される、スロットｘ中のダウンリンクシンボルの数であり得る。Ｄｘの値は０からＮまでであり得る。すなわち、Ｄｘの値によって指定されるように、スロットｘはダウンリンクシンボルを有しないことがあるか、またはＮ個のシンボルのすべてがダウンリンクシンボルであり得る。７個および１４個のシンボルのスロット持続時間について、Ｄｘの値をシグナリングするためには、それぞれ、３ビットおよび４ビットが必要とされる。第２のフィールドは、ＵＬｘによって示される、スロットｘのためのアップリンク送信インジケータであり得る。このアップリンク送信インジケータは、スロットｘにおけるアップリンク送信の存在または不在を示し得る。したがって、このインジケータのためにはただ１つのビットが必要とされ得る。上記の情報に基づいて、ＵＥ１０５は、（スロットｘ中のダウンリンクシンボルの数Ｄｘに加えて）アップリンクシンボルの数Ｕｘ、ならびに、以下の例の場合と同様に、（Ｋｘによって示される）「未知の」シンボルを決定することができる。
【００４１】
スロットｘ中にアップリンク送信がない場合（すなわち、ＵＬｘ＝０）、第１のＤｘシンボルは、式Ｋｘ＝Ｎ−Ｄｘに従って、ダウンリンクシンボルと、それに続くいくつかの未知のシンボルＫｘであると決定される。
【００４２】
スロットｘ中にアップリンク送信のみがある場合（すなわちＤｘ＝０およびＵＬｘ＝１）、スロットｘはアップリンクのみのスロット（すなわちＵｘ＝ＮおよびＫｘ＝０）であると仮定される。
【００４３】
スロットｘのために設定されたダウンリンク送信とアップリンク送信の両方がある場合（すなわち、Ｄｘ＞０およびＵＬｘ＝１）、スロットｘはＤｘ個のダウンリンクシンボルで始まり、式Ｕｘ＝Ｎ−（Ｄｘ＋Ｇ）に従って、いくつかの数のアップリンクシンボルＵｘ個で終わり、それらの間にＫｘ＝Ｇ個のシンボルをもつ。そのようなシナリオでは、ガードシンボルは未知のシンボルＫｘである。すなわち、ＵＥのグループのために同じＳＦＩが使用され得、ＵＥの各々は、ガード期間として使用するためのそれぞれの数のシンボルを用いて設定され得る。したがって、ＳＦＩ情報は、アップリンクシンボルとダウンリンクシンボルとの間にいくつかの未知のシンボルを許し得る。しかしながら、ＵＥ１０５は、それでも、これらの未知のシンボルがガードシンボルであると決定し得る。
【００４４】
図４Ａは、上記で説明した例示的なルールに従って異なるスロットフォーマットを記述するために（Ｄｘ、ＵＬｘ）として表されたＳＦＩの例を示す。図４Ａに示された例示的なスロットフォーマットの各々は、１４個のシンボル５５を備える単一のスロット６８を表す。この例によれば、ＵＥ１０５は、ダウンリンクとアップリンクとの間の切替えのために１シンボルのガードインターバルを用いて設定される。
【００４５】
上記で説明したルールに基づいて、図４Ａに示されているように、ダウンリンクのみのスロットは、Ｄｘ＝Ｎ（すなわち、この例では、Ｄｘ＝１４）およびＵＬｘ＝０によって指定され得る（およびこれらから決定され得る）。さらに、アップリンクのみのスロットは、Ｄｘ＝０およびＵＬｘ＝１によって指定され得る（およびこれらから決定され得る）。
【００４６】
ＳＦＩは、１つまたは複数の実施形態では、グループ共通制御における対応するシグナリングが効率的にスケーリングされるように、複数のスロットに適用するように拡張され得る。いくつかのそのような実施形態によれば、特定の構造は、スロットのブロックに対応するＳＦＩが反復され得る、反復ＳＦＩパターンを示し得る。このことは、いくつかの実施形態では、（Ｘによって示される）スロットの数による対応するブロックサイズ、および（Ｒによって示される）反復係数をシグナリングすることによって達成され得る。これらのパラメータのシグナリングは半静的に行われ得る。これらのパラメータの一方または両方が半静的に設定されるか、または他の手段によってＵＥ１０５に知られているとき、ＳＦＩのための制御シグナリングにおける対応するフィールドの数があらかじめＵＥ１０５に知られているであろうことにより、（たとえば、これらのパラメータを各スロットについて動的に、すなわち、パラメータの一方または両方が半静的に設定されることなしに設定することと比較して）ＵＥ１０５の複雑さは低減され得る。たとえば、反復係数が半静的に設定される一実施形態では、制御シグナリングサイズは反復係数によって低減され得る。言い換えれば、ＵＥ１０５が、制御シグナリングから受信されたＳＦＩがＲ回反復されると仮定することができる場合、ＳＦＩフィールドの数はＸ＊ＲからＸに低減され得る。
【００４７】
６つのスロット６８にわたって反復ＳＦＩパターンが適用される例が図５Ａに示されている。図５Ａの例はＳＦＩブロック２００ａ、２００ｂを含む。図５Ａ中の６つのスロット６８にわたる反復ＳＦＩパターンの設定は、ＳＦＩブロックサイズＸ＝３および反復係数Ｒ＝２に従ってシグナリングされ得る。６つのスロット６８にわたって反復ＳＦＩパターンが適用される別の例が図５Ｂに示されている。図５Ｂの例はＳＦＩブロック２００ｃ〜２００ｅを含む。図５Ｂ中の６つのスロット６８にわたる反復ＳＦＩパターンの設定は、ＳＦＩブロックサイズＸ＝２および反復係数Ｒ＝３に従ってシグナリングされ得る。
【００４８】
本明細書で説明した実施形態のうちのいくつかでは、ＵＥ１０５は、受信された信号の正しい復号を実行するために、ＳＦＩ中のビットの数を知っている必要がある。たとえば、７ＯＦＤＭシンボル長である単一のスロット６８のみのためにＳＦＩが与えられるいくつかの実施形態では、４ビットが使用され得る。相応して、２つのそのようなスロット６８のために与えられるＳＦＩのためには、８ビットが使用され得る。３つの同等のスロット６８のためにＳＦＩが与えられる実施形態では、８＋２＝１０ビットが使用され得、最後の２ビットは、たとえば、０と３の間のＲの値について、反復係数Ｒを表すために使用される。
【００４９】
そのような一実施形態では、ＵＥ１０５は、これらの３つのシナリオの間でブラインド復号を実行し、どのシナリオが当てはまるかを検査することが必要とされ得る。そのようなブラインド復号は、しかしながら、追加のＵＥ複雑さを必要とし、そのことが、今度は追加のレイテンシを引き起こし得る。そのような実施形態では、情報ビットの誤り検出コーディング（ＣＲＣコーディングなど）も必要とされ得、そのことが共通制御信号のカバレッジを低減し得る。
【００５０】
したがって、特定の実施形態は、固定の情報サイズを使用する上記の３つの使用事例のジョイントコーディングを使用する。７シンボルのスロットサイズを使用する非限定的な例示的な一実施形態では、固定の数の情報ビットが使用される。具体的に言うと、８つの情報ビットが使用され得、それらビットのうちの最初の４つは、上記で教示したように（たとえば、図４Ａに示されているように）、スロット６８のためのＳＦＩパターンを示すために使用され得る。
【００５１】
第２の４ビットは、それらの値に応じて異なって解釈され得る。たとえば、第２の４ビットが（７，１）以外のいずれかの値ペアをシグナリングする場合、第２の４ビットは、上記で説明したように（たとえば、図４Ａに示されているように）、次のスロットのためのＳＦＩパターンをシグナリングする。したがって、８つの情報ビットは、それぞれ、２つのスロットのためのＳＦＩパターンをシグナリングするために使用される２つの４ビットのセットを含む。第２の４ビットが（７，１）の値ペアをシグナリングする場合、第２の４ビットは、第１の４ビットによってシグナリングされたパターンに従って、次の２つのスロットのＳＦＩパターンをシグナリングする。したがって、８つの情報ビットは、３つのスロットのためのＳＦＩパターンをシグナリングするために使用される。
【００５２】
１４シンボルのスロットサイズが使用される別の非限定的な例示的な実施形態では、固定のサイズの１０個の情報ビットが使用される。第１の５ビットは、上記で教示したように、現在のスロットのためのＳＦＩパターンを示すために使用される（たとえば、上記で説明したＤｘおよびＵＬｘとして解釈され得る値をシグナリングする）。第２の５ビットが（１４，１）、（１５，０）または（１５，１）以外のいずれかの値ペアをシグナリングする場合、第２の５ビットは、（たとえば、上記の図４Ａに示されているように）次のスロットのためのＳＦＩパターンをシグナリングする。この場合、１０個の情報ビットは、２つのそれぞれのスロットのための２つのＳＦＩパターンをシグナリングするために使用される。
【００５３】
代替的に、第２の５ビットが（１４，１）の値ペアをシグナリングする場合、第２の５ビットは、第１の５ビットによってシグナリングされたパターンに従って次の２つのスロットのＳＦＩパターンをシグナリングする。この場合、１０個の情報ビットは、合計３つのスロットのためのＳＦＩパターンをシグナリングするために使用される。
【００５４】
代替的に、第２の５ビットが（１５，０）の値ペアをシグナリングする場合、第２の５ビットは、第１の５ビットによってシグナリングされたパターンに従って次の３つのスロットのＳＦＩパターンをシグナリングする。この場合、１０個の情報ビットは、合計４つのスロットのためのＳＦＩパターンをシグナリングするために使用される。
【００５５】
代替的に、第２の５ビットが（１５，１）の値ペアをシグナリングする場合、第２の５ビットは、第１の５ビットによってシグナリングされたパターンに従って次の４つのスロットのＳＦＩパターンをシグナリングする。この場合、１０個の情報ビットは、合計５つのスロットのためのＳＦＩパターンをシグナリングするために使用される。
【００５６】
もちろん、上記の実施形態は、本明細書の原理を８ビットおよび１０ビットの固定の情報ビットサイズに適用する例にすぎない。同様の原理は、さらに、上記で説明したように、他の実施形態では、同様のコーディング値を使用して、または異なる数の情報ビットを使用して適用され得る。
【００５７】
図４Ｂは、複数のスロット６８のためのＳＦＩをシグナリングするために使用される例示的な制御シグナリングを示す。図４Ｂに示されているように、スロットｎにおいて、共通制御信号は、スロットｎ、ｎ＋１、ｎ＋２およびｎ＋３のすべてが１１個のダウンリンクシンボルと２個のアップリンクシンボルとを有することを示すために（１１，１，１５，０）を使用する。
【００５８】
スロットｎ＋２において、信号（１１，１，１１，１）は、スロットｎ＋２およびスロットｎ＋３が１１個のダウンリンクシンボルと２個のアップリンクシンボルとを有することを示す。
【００５９】
スロットｎ＋３において、信号（１１，１，２，１）は、このスロットが１１個のダウンリンクシンボルと２個のアップリンクシンボルとを有すること、および次のスロットが２個のダウンリンクシンボルと１１個のアップリンクシンボルとを有することを示す。
【００６０】
スロットｎ＋６において、共通制御信号は、スロットｎ＋６、ｎ＋７、…、ｎ＋１０のすべてが１１個のダウンリンクシンボルと２個のアップリンクシンボルとを有することを示すために（１１，１，１５，１）を使用する。
【００６１】
いくつかの実施形態では、不規則である１つまたは複数のスロット６８があり得る。すなわち、１つまたは複数のスロット６８は、たとえば、上記で説明したように、それらの対応するＳＦＩにおいて示されたアップリンク／ダウンリンクスプリットに従わないことがある。特に、遅延に敏感である（たとえば、対応する半静的に設定されたＳＦＩが適切でない）特定のトラフィックを送信する必要があり得る。これらの不規則なスロット６８をサポートするために、ダウンリンク送信は、いくつかの実施形態では、ダウンリンク送信および／またはアップリンク送信をスケジュールするために（たとえば、上記で説明したように、シグナリングされたＳＦＩをオーバーライドするために）スロット６８中の任意のシンボル５５中で送信され得る。そのような送信は、（特に、ＮＲ関係の実施形態では）「ミニスロット」送信と呼ばれることがあり、いくつかの実施形態では、スロット境界とは無関係に、スロット６８中の任意のシンボル５５において始まり得る。
【００６２】
より詳細には、１つまたは複数のＵＥ１０５は、特定の実施形態によれば、チャネルのための制御シグナリングが、特定のスロット６８のためのＳＦＩ情報とは無関係に、特定の場合（たとえば、１４シンボルのスロット６８における第６のシンボル５５）に予想される、制御リソースセット（ＣＯＲＥＳＥＴ）を監視し得る。制御シグナリングがどこで予想されるべきであるか、および、どのような場合に（たとえば、どのスロットが監視されるべきであるか）が、たとえば、ＣＯＲＥＳＥＴのプロパティ中に備えられ得る。
【００６３】
したがって、ＵＥ１０５は、上述のＣＯＲＥＳＥＴに従ってＵＥが設定されたシンボル５５のために受信されたＳＦＩとは無関係に、共通制御シグナリングからのＳＦＩを受信し得る。したがって、ＵＥ１０５は共通制御シグナリングからのＳＦＩを使用し得、またそれでも、送信のためにスケジュールされた不規則なトラフィックがあるか否かを見つけ出すために、ＣＯＲＥＳＥＴによって設定されたシンボルを監視し得る。
【００６４】
同様の様式で、ＵＥ１０５は、ＵＥ１０５が送るべき情報を有するいくつかの場合において、特定のスロット６８のＳＦＩ情報とは無関係に、アップリンクグラントまたはスケジューリング要求（ＳＲ）なしに、アップリンクＳＰＳ／アップリンクリソースのために設定されたリソース上で送信し得る。上記で説明したＣＯＲＥＳＥＴ設定と同様に、このことはＳＲおよびＵＬ  ＳＰＳ／ＵＬリソース設定のプロパティとして行われ得る。さらに、同様の態様は、そのスロットのスロットフォーマットにおいてＤＬまたは未知のいずれかであることが示されているスロットのために動的にスケジュールされるアップリンクグラントのために適用し得る。アップリンクグラントが適用されるかどうかは、一般に設定に基づくか、またはアップリンクグラントに関連する送信プロファイル／リンク制御プロトコル（ＬＣＰ）、またはこれらの優先度を有するＣＯＲＥＳＥＴからアップリンクグラントがスケジュールされる送信プロファイル／リンク制御プロトコル（ＬＣＰ）に基づき得る。さらに、同じ態様はまた、上述のプロパティを有するＣＯＲＥＳＥＴから来た物理ダウンリンク共有チャネル（ＰＤＳＣＨ）送信のためのハイブリッド自動再送要求（ＨＡＲＱ）フィードバックのために適用し得る。
【００６５】
上記のすべてに鑑みて、本開示の特定の一実施形態は、図６に示された方法６００を含む。方法６００は、無線通信システム１００におけるＵＥ１０５によって実装される。方法６００は、アクセスノード１１０から、アップリンクシンボルとダウンリンクシンボルの両方を含むように設定可能である、スロット６８のためのＳＦＩを受信することを含む（ブロック６１０）。ＳＦＩは、スロット６８中のダウンリンクシンボルの数、およびスロット６８が指定されない数のアップリンクシンボルを含むか否かを指定する。方法６００は、ＳＦＩに基づいて、複数の可能なシンボルタイプのうちの１つのために設定されるものとして、スロット６８中の各シンボル５５のタイプを決定することをさらに含む（ブロック６２０）。可能なシンボルタイプはアップリンクシンボルタイプとダウンリンクシンボルタイプとを含む。
【００６６】
本開示の別の特定の実施形態は、図７に示された方法７００を含む。方法７００は、無線通信システム１００におけるアクセスノード１１０によって実装される。方法７００は、ＵＥ１０５のために、複数の可能なシンボルタイプのうちの１つとしてスロット６８中の各シンボル５５を設定することを含む（ブロック７１０）。可能なシンボルタイプはアップリンクシンボルタイプとダウンリンクシンボルタイプとを含む。さらに、スロット６８は、アップリンクシンボルとダウンリンクシンボルの両方を含むように設定可能である。方法７００は、設定されたシンボル５５に従って、スロット６８中のダウンリンクシンボルの数、およびスロット６８が指定されない数のアップリンクシンボルを含むか否かを指定するＳＦＩをＵＥ１０５に送信することをさらに含む。
【００６７】
本開示の別の特定の実施形態は、図１１に示された方法４００を含む。方法４００は、無線通信システム１００におけるＵＥ１０５によって実装される。方法４００は、アクセスノード１１０から、各々がアップリンクシンボルとダウンリンクシンボルの両方を含むように設定可能である複数のスロット６８のためのＳＦＩを受信することを含む（ブロック４１０）。ＳＦＩは、スロット６８の各々におけるダウンリンクシンボルの数、およびスロット６８の各々が指定されない数のアップリンクシンボルを含むか否かを指定する。方法４００は、アクセスノード１１０からシグナリングされたブロックサイズと反復係数とに基づいて複数のスロット６８を識別することをさらに含む（ブロック４２０）。
【００６８】
本開示の別の特定の実施形態は、図１２に示された方法４５０を含む。方法４５０は、無線通信システム１００におけるアクセスノード１１０によって実装される。方法４５０は、各々がアップリンクシンボルとダウンリンクシンボルの両方を含むように設定可能である複数のスロット６８のためのＳＦＩをＵＥ１０５に送信することを含む（ブロック４６０）。ＳＦＩは、スロット６８の各々におけるダウンリンクシンボルの数、およびスロット６８の各々が指定されない数のアップリンクシンボルを含むか否かを指定する。方法４５０は、複数のスロット６８をＵＥ１０５に同定する、ブロックサイズおよび反復係数をＵＥ１０５に送信することをさらに含む（ブロック４７０）。
【００６９】
本開示の別の特定の実施形態は、図１３に示された方法７５０を含む。方法７５０は、無線通信システム１００におけるＵＥ１０５によって実装される。方法７５０は、アクセスノード１１０から、アップリンクシンボルとダウンリンクシンボルの両方を含むように設定可能であるスロット６８ａのためのＳＦＩを受信することを含む（ブロック７６０）。ＳＦＩは、スロット６８ａ中のダウンリンクシンボルの数、およびスロット６８ａが指定されない数のアップリンクシンボルを含むか否かを指定する。方法７５０は、アクセスノード１１０から、ＳＦＩまたはさらなるＳＦＩが、アップリンクシンボルとダウンリンクシンボルの両方を含むように設定可能である後続のスロット６８ｂに適用されるかどうかを示す、さらなる制御シグナリングを受信することをさらに含む（ブロック７７０）。
【００７０】
本開示の別の特定の実施形態は、図１４に示された方法８５０を含む。方法８５０は、無線通信システム１００におけるアクセスノード１１０によって実装される。本方法は、アップリンクシンボルとダウンリンクシンボルの両方を含むように設定可能であるスロット６８ａのためのＳＦＩをＵＥ１０５に送信することを含む（ブロック８６０）。ＳＦＩは、スロット６８ａ中のダウンリンクシンボルの数、およびスロット６８ａが指定されない数のアップリンクシンボルを含むか否かを指定する。方法８５０は、ＳＦＩまたはさらなるＳＦＩが、アップリンクシンボルとダウンリンクシンボルの両方を含むように設定可能である後続のスロット６８ｂに適用されるかどうかを示す、さらなる制御シグナリングを、ＵＥ１０５に送信することをさらに含む（ブロック８７０）。
【００７１】
本開示の別の特定の実施形態は、図１８に示された方法１８００を含む。方法１８００は、無線通信システム１００におけるＵＥ１０５によって実装される。方法１８００は、アクセスノード１１０から、各シンボルが複数の可能なシンボルタイプのうちの１つとして単独で設定可能であるスロット６８ａのためのＳＦＩを、受信することを含む（ブロック１８１０）。タイプは、アップリンクシンボルと、ダウンリンクシンボルと、異なるシンボルとを含む。ＳＦＩは、スロット６８ａ中のダウンリンクシンボルの数、およびスロット６８ａ中のアップリンクシンボルの数を指定し、スロット６８ａが指定されない数の異なるシンボルを含むか否かを示す。方法１８００は、アップリンクシンボルの数とダウンリンクシンボルの数とに基づいてスロット６８ａ中のシンボルの各々のタイプを決定することをさらに含む（ブロック１８２０）。
【００７２】
本開示の別の特定の実施形態は、図１９に示された方法１９００を含む。方法１９００は、無線通信システム１００におけるアクセスノード１１０によって実装される。方法１９００は、ＵＥ１０５のために、複数の可能なシンボルタイプのうちの１つとして、個々にスロット６８ａ中の各シンボルを設定することを含む（ブロック１９１０）。タイプは、アップリンクシンボルと、ダウンリンクシンボルと、異なるシンボルとを含む。方法１９００は、スロット６８ａ中のダウンリンクシンボルの数と、スロット６８ａ中のアップリンクシンボルの数とを指定し、スロット６８ａが指定されない数の異なるシンボルを含むか否かを示すＳＦＩをＵＥ１０５に送信することをさらに含む（ブロック１９２０）。
【００７３】
その上、上記で説明したデバイスおよび／または方法のうちの１つまたは複数は、図８に示された例示的なハードウェア９００を使用して実装され得る。例示的なハードウェア９００は処理回路９１０と通信回路９３０とを含む。処理回路９１０は、たとえば、１つまたは複数のバスを介して、通信回路９３０に通信可能に結合される。処理回路９１０は、１つまたは複数のマイクロプロセッサ、マイクロコントローラ、ハードウェア回路、ディスクリート論理回路、ハードウェアレジスタ、デジタル信号プロセッサ（ＤＳＰ）、フィールドプログラマブルゲートアレイ（ＦＰＧＡ）、特定用途向け集積回路（ＡＳＩＣ）、またはそれらの組合せを備え得る。たとえば、処理回路９１０は、メモリ回路９２０中に機械可読コンピュータプログラムとして記憶されたソフトウェア命令を実行することが可能なプログラマブルハードウェアであり得る。様々な実施形態のメモリ回路９２０は、限定はしないが、１つまたは複数のハードウェアレジスタ、固体メディア（たとえば、ＳＲＡＭ、ＤＲＡＭ、ＤＤＲＡＭ、ＲＯＭ、ＰＲＯＭ、ＥＰＲＯＭ、フラッシュメモリ、固体ドライブなど）、リムーバブルストレージデバイス（たとえば、セキュアデジタル（ＳＤ）カード、ミニＳＤカード、マイクロＳＤカード、メモリスティック、サムドライブ、ＵＳＢフラッシュドライブ、ＲＯＭカートリッジ、ユニバーサルメディアディスク）、固定ドライブ（たとえば、磁気ハードディスクドライブ）、および／またはそれらの任意の組合せを含む、揮発性か不揮発性かにかかわらず、当技術分野で知られている、または開発され得る任意の非一時的機械可読媒体を備え得る。
【００７４】
通信回路９３０は、ハードウェア９００の入力および出力（Ｉ／Ｏ）データパスを制御するように設定されたコントローラハブであり得る。そのようなＩ／Ｏデータパスは、無線通信ネットワーク１００上で信号を交換するためのデータパスを含み得る。たとえば、通信回路９３０は、たとえば、空気、電気、および／または光媒体を介して、ＵＥ１０５およびアクセスノード１１０内でおよび／またはそれらの間で通信信号を送信および受信するように設定されたトランシーバを備え得る。
【００７５】
通信回路９３０のいくつかの実施形態は単一の物理的構成要素として実装され得るが、通信回路９３０の他の実施形態は、連続してまたは別個に構成された複数の物理的構成要素として実装され得、それらの物理的構成要素のいずれかは、任意の他の物理的構成要素に通信可能に結合され得、および／または処理回路９１０を介して任意の物理的構成要素と通信し得る。たとえば、いくつかの実施形態では、通信回路９３０は、通信信号を送信するように設定された送信機回路（図示せず）と、通信信号を受信するように設定された受信機回路（図示せず）とを備え得る。
【００７６】
特定の実施形態によれば、図８に示されたハードウェア９００は、複数の構成要素を用いて設定され得る。これらの構成要素は、複数の通信可能に結合されたハードウェアユニットおよび／またはソフトウェアモジュールを含み得る。ハードウェアユニットのうちの１つまたは複数は、たとえば、処理回路９１０の一部であり得る。ソフトウェアモジュールのうちの１つまたは複数は、たとえば、メモリ回路９２０中に記憶され、処理回路９１０によって実行可能であり得る。
【００７７】
たとえば、ハードウェア９００は、ＵＥ１０５中に備えられ、図９に示された例示的な構成要素９５０ａを用いて設定され得る。構成要素９５０ａは、受信ユニットまたはモジュール１０１０と、決定ユニットまたはモジュール１０２０とを含む。受信ユニットまたはモジュール１０１０は、アクセスノード１１０から、アップリンクシンボルとダウンリンクシンボルの両方を含むように設定可能であるスロット６８のためのＳＦＩを受信するように設定される。ＳＦＩは、スロット６８中のダウンリンクシンボルの数、およびスロット６８が指定されない数のアップリンクシンボルを含むか否かを指定する。決定ユニットまたはモジュール１０２０は、ＳＦＩに基づいて、複数の可能なシンボルタイプのうちの１つのために設定されるものとして、スロット６８中の各シンボル５５のタイプを決定するように設定される。可能なシンボルタイプはアップリンクシンボルタイプとダウンリンクシンボルタイプとを含む。
【００７８】
他の実施形態によれば、ハードウェア９００は、アクセスノード１１０中に備えられ、図１０に示された例示的な構成要素９５０ｂを用いて設定され得る。構成要素９５０ｂは、設定ユニットまたはモジュール１１１０と、送信ユニットまたはモジュール１１２０とを含む。設定ユニットまたはモジュール１１１０は、ＵＥ１０５のために、複数の可能なシンボルタイプのうちの１つとしてスロット６８中の各シンボル５５を設定するように設定される。可能なシンボルタイプはアップリンクシンボルタイプとダウンリンクシンボルタイプとを含む。さらに、スロット６８は、アップリンクシンボルとダウンリンクシンボルの両方を含むように設定可能である。送信ユニットまたはモジュール１１２０は、設定されたシンボル５５に従って、スロット６８中のダウンリンクシンボルの数、およびスロット６８が指定されない数のアップリンクシンボルを含むか否かを指定するＳＦＩをＵＥ１０５に送信するように設定される。
【００７９】
他の実施形態によれば、ハードウェア９００は、ＵＥ１０５中に備えられ、図１５に示された例示的な構成要素９５０ｃを用いて設定され得る。構成要素９５０ｃは、受信ユニットまたはモジュール１５１０と、識別ユニットまたはモジュール１５２０とを含む。受信ユニットまたはモジュール１５１０は、アクセスノード１１０から、各々がアップリンクシンボルとダウンリンクシンボルの両方を含むように設定可能である、複数のスロット６８のためのＳＦＩを受信するように設定される。ＳＦＩは、スロット６８の各々におけるダウンリンクシンボルの数、およびスロット６８の各々が指定されない数のアップリンクシンボルを含むか否かを指定する。識別ユニットまたはモジュール１５２０は、アクセスノード１１０からシグナリングされたブロックサイズと反復係数とに基づいて複数のスロット６８を識別するように設定される。
【００８０】
他の実施形態によれば、ハードウェア９００は、アクセスノード１１０中に備えられ、図１６に示された例示的な構成要素９５０ｄを用いて設定され得る。構成要素９５０ｄは、第１の送信ユニットまたはモジュール１６１０と、第２の送信ユニットまたはモジュール１６２０とを含む。第１の送信ユニットまたはモジュール１６１０は、各々がアップリンクシンボルとダウンリンクシンボルの両方を含むように設定可能である、複数のスロット６８のためのＳＦＩをＵＥ１０５に送信するように設定される。ＳＦＩは、スロット６８の各々におけるダウンリンクシンボルの数、およびスロット６８の各々が指定されない数のアップリンクシンボルを含むか否かを指定する。第２の送信ユニットまたはモジュール１６２０は、複数のスロット６８をＵＥ１０５に同定する、ブロックサイズおよび反復係数をＵＥ１０５に送信するように設定される。
【００８１】
他の実施形態によれば、ハードウェア９００は、ＵＥ１０５中に備えられ、図１７に示された例示的な構成要素９５０ｅを用いて設定され得る。構成要素９５０ｅは、第１の受信ユニットまたはモジュール１７１０と、第２の受信ユニットまたはモジュール１７２０とを含む。第１の受信ユニットまたはモジュール１７１０は、アクセスノード１１０から、アップリンクシンボルとダウンリンクシンボルの両方を含むように設定可能である、スロット６８ａのためのＳＦＩを受信するように設定される。ＳＦＩは、スロット６８ａ中のダウンリンクシンボルの数、およびスロット６８ａが指定されない数のアップリンクシンボルを含むか否かを指定する。第２の受信ユニットまたはモジュール１７２０は、アクセスノード１１０から、ＳＦＩまたはさらなるＳＦＩが、アップリンクシンボルとダウンリンクシンボルの両方を含むように設定可能である後続のスロット６８ｂに適用されるかどうかを示す、さらなる制御シグナリングを受信するように設定される。
【００８２】
ハードウェア９００がアクセスノード１１０中に備えられ、図１６に示された例示的な構成要素９５０ｄを用いて設定される別の実施形態によれば、第１の送信ユニットまたはモジュール１６１０は、アップリンクシンボルとダウンリンクシンボルの両方を含むように設定可能であるスロット６８ａのためのＳＦＩをＵＥ１０５に送信するように設定される。ＳＦＩは、スロット６８ａ中のダウンリンクシンボルの数、およびスロット６８ａが指定されない数のアップリンクシンボルを含むか否かを指定する。第２の送信ユニットまたはモジュール１６２０は、ＳＦＩまたはさらなるＳＦＩが、アップリンクシンボルとダウンリンクシンボルの両方を含むように設定可能である後続のスロット６８ｂに適用されるかどうかを示す、さらなる制御シグナリングを、ＵＥ１０５に送信するように設定される。
【００８３】
他の実施形態によれば、ハードウェア９００は、ＵＥ１０５中に備えられ、図２０に示された例示的な構成要素９５０ｆを用いて設定され得る。構成要素９５０ｆは、受信ユニットまたはモジュール２０１０と、決定ユニットまたはモジュール２０２０とを含む。受信ユニットまたはモジュール２０１０は、アクセスノード１１０から、各シンボルが複数の可能なシンボルタイプのうちの１つとして単独で設定可能であるスロット６８ａのためのＳＦＩを、受信するように設定される。タイプは、アップリンクシンボルと、ダウンリンクシンボルと、異なるシンボルとを含む。ＳＦＩは、スロット６８ａ中のダウンリンクシンボルの数、およびスロット６８ａ中のアップリンクシンボルの数を指定し、スロット６８ａが指定されない数の異なるシンボルを含むか否かを示す。決定ユニットまたはモジュール２０２０は、アップリンクシンボルの数とダウンリンクシンボルの数とに基づいてスロット６８ａ中のシンボルの各々のタイプを決定するように設定される。
【００８４】
他の実施形態によれば、ハードウェア９００は、アクセスノード１１０中に備えられ、図２１に示された例示的な構成要素９５０ｇを用いて設定され得る。構成要素９５０ｇは、設定ユニットまたはモジュール２１１０と、送信ユニットまたはモジュール２１２０とを含む。設定ユニットまたはモジュール２１１０は、ＵＥ１０５のために、複数の可能なシンボルタイプのうちの１つとして、個々にスロット６８ａ中の各シンボルを設定するように設定される。タイプは、アップリンクシンボルと、ダウンリンクシンボルと、異なるシンボルとを含む。送信ユニットまたはモジュール２１２０は、スロット６８ａ中のダウンリンクシンボルの数、およびスロット６８ａ中のアップリンクシンボルの数を指定し、スロット６８ａが指定されない数の異なるシンボルを含むか否かを示すＳＦＩをＵＥ１０５に送信するように設定される。
【００８５】
本開示の実施形態は、追加または代替として、以下に列挙される請求項の１つまたは複数の態様、および／または本明細書で説明する特徴の任意の互換的な組合せを含み得る。本発明は、もちろん、本発明の本質的特性から逸脱することなく、本明細書に詳細に記載された方法以外の方法で実行され得る。本実施形態は、すべての点で例示的であり、限定的でないものと見なされるべきであり、添付の特許請求の範囲の意味および等価性の範囲内に入るすべての変更は、その中に包含されるものとする。本明細書で説明する様々なプロセスまたは方法のステップは、シーケンスまたは時間的順序によるものとして図示され、説明されることがあるが、そのようなプロセスまたは方法のステップは、別段の指示なしに、任意の特定のシーケンスまたは順序で実行されるように限定されない。実際、そのようなプロセスまたは方法におけるステップは、一般に、依然として本発明の範囲内に入りながら、様々な異なるシーケンスおよび順序で実行され得る。
【図１】
2020530746.tif 000003
【図２】
2020530746.tif 000004
【図３】
2020530746.tif 000005
【図４Ａ】
2020530746.tif 000006
【図４Ｂ】
2020530746.tif 000007
【図５Ａ−５Ｂ】
2020530746.tif 000008
【図６】
2020530746.tif 000009
【図７】
2020530746.tif 000010
【図８】
2020530746.tif 000011
【図９】
2020530746.tif 000012
【図１０】
2020530746.tif 000013
【図１１】
2020530746.tif 000014
【図１２】
2020530746.tif 000015
【図１３】
2020530746.tif 000016
【図１４】
2020530746.tif 000017
【図１５】
2020530746.tif 000018
【図１６】
2020530746.tif 000019
【図１７】
2020530746.tif 000020
【図１８】
2020530746.tif 000021
【図１９】
2020530746.tif 000022
【図２０】
2020530746.tif 000023
【図２１】
2020530746.tif 000024
【国際調査報告】
2020530746.tif 000025
2020530746.tif 000026
2020530746.tif 000027